(57)【要約】【課題】正確な時間を計測しながら、頭髪をほぐしながら乾燥させたり、ほぐされた頭髪をミラーで確認しながら整えたりすることができる扇風機を提供する。【解決手段】ファン５を有するファンモータと、前記ファンを覆うファンガード４と、前記ファンモータを首振自在に支持するファンモータ支持具と、前記ファンモータ支持具を取り付けた支柱３と、前記支柱を支持する基台部２と、を備え、前記ファンガード４の中心位置に着脱可能な時刻表示機能１５を備えたユニット１０を設けるように扇風機を構成する。【選択図】図１
2008121579.tif 000002
【特許請求の範囲】
【請求項１】
ファンを有するファンモータと、
前記ファンを覆うファンガードと、
前記ファンモータを首振自在に支持するファンモータ支持具と、
前記ファンモータ支持具を取り付けた支柱と、
前記支柱を支持する基台部と、を備え、
前記ファンガードの中心位置に着脱可能な時刻表示機能を備えたユニットを設けたこと
を特徴とする扇風機。
【請求項２】
前記ユニットは、アラーム機能及び温度表示機能を備えていること
を特徴とする請求項１に記載の扇風機。
【請求項３】
前記ユニットは、
時刻表示機能を有するカバー部と、ミラー機能を有する本体部とからなり、
前記カバー部が、前記本体部を開閉自在に覆うように構成されていること
を特徴とする請求項１又は２に記載の扇風機。
【請求項４】
前記ファンにマイナスイオンを供給するマイナスイオン発生装置を設けたこと
を特徴とする請求項１乃至３に記載の扇風機。
【発明の詳細な説明】
【技術分野】
【０００１】
本発明は、扇風機に係り、詳しくは、両手を用いてシャンプー後の頭髪をほぐしながら乾燥させたり、ほぐされた頭髪を整えたりすることを可能にした扇風機に関するものである。
【背景技術】
【０００２】
周知のとおり、人々はヘアドライヤーを用いたり、扇風機の風を利用したりして、シャンプー後の頭髪をほぐしながら乾燥させる。また、ほぐされた頭髪を整える場合には、ミラーにより頭髪の状況を確認するのが一般的である。
【０００３】
このため、従来のヘアドライヤーでは、ヘアドライヤーに光の反射を利用して人の姿や物の像を映し出す鏡（以下、ミラーという。）を取付けることにより、整髪することを可能にしたものがある（例えば、特許文献１参照）。
【０００４】
しかし、この場合には、ヘアドライヤーを持たなければならないために片手しか使用することができず、頭髪を整えるのに長時間を要するという問題がある。
【０００５】
このため、多くの人々が扇風機を利用して、両手を使ってシャンプー後の頭髪をほぐしながら乾燥させている。従来の扇風機では、ファンガードの前部、かつ径方向の中心位置に着脱自在なミラーユニットを装着することにより、両手で頭髪をほぐしてファン風で乾燥させながら整髪を可能にしたものがある（特許文献２参照）。
【特許文献１】特開平８−３１７８１３号公報
【特許文献２】実用新案登録３１０１６１２号公報
【発明の開示】
【発明が解決しようとする課題】
【０００６】
しかしながら、上記の扇風機によれば、近くに時計等の時間を測定できるものがない場合には、必要以上に長い時間に亘って髪を乾燥させてしまうことにより、髪がパサパサになってしまうおそれがある。髪の毛を乾かすための最適な時間は、髪の毛の長さや、量の多さ、髪質等によって変わるものであり、正確に時間を測定ながら、髪を乾かすようにすることが望ましい。
【０００７】
また、一般に髪を乾かす必要がある場合は、風呂上りの直後のような場合が多く、普段、眼鏡等を使用している者は、裸眼の状態で髪を乾かすことが多いと考えられる。このため、近くの壁等に時計があるような場合であっても、正確な時間を測定することができず、髪を必要以上に乾かしてしまうという問題がある。
【０００８】
特に、マイナスイオン発生装置等を備えてドライヤー機能を高めた扇風機を用いる場合には、上記のような問題が顕著になりやすい。
【０００９】
従って、本発明の目的は、正確な時間を計測しながら、頭髪をほぐしながら乾燥させたり、ほぐされた頭髪をミラーで確認しながら整えたりすることができる扇風機を提供することである。
【課題を解決するための手段】
【００１０】
本発明は、上記のような目的を達成するためになされたものであり、この目的は、下記（１）〜（４）の発明によって達成される。
【００１１】
（１）ファンを有するファンモータと、
前記ファンを覆うファンガードと、
前記ファンモータを首振自在に支持するファンモータ支持具と、
前記ファンモータ支持具を取り付けた支柱と、
前記支柱を支持する基台部と、を備え、
前記ファンガードの中心位置に着脱可能な時刻表示機能を備えたユニットを設けたこと
を特徴とする扇風機。
【００１２】
前記ユニットは、アラーム機能及び温度表示機能を備えていること
を特徴とする上記（１）に記載の扇風機。
【００１３】
（３）前記ユニットは、
時刻表示機能を有するカバー部と、ミラー機能を有する本体部とからなり、
前記カバー部が、前記本体部を開閉自在に覆うように構成されていること
を特徴とする上記（１）又は（２）に記載の扇風機。
【００１４】
（４）前記ファンにマイナスイオンを供給するマイナスイオン発生装置を設けたこと
を特徴とする上記（１）乃至（３）に記載の扇風機。
【発明の効果】
【００１５】
本発明に係る扇風機によれば、時刻表示機能を備えたので、正確な時間を測定しながら、髪を乾かすことができる。
【発明を実施するための最良の形態】
【００１６】
以下、本発明に係る扇風機を実施するための一実施の形態について、図面を参照して説明するが、本発明は以下の実施の形態に限定されるものではない。
【００１７】
図１は、本発明の一実施の形態に係る扇風機の正面図であり、ユニットのカバー部が閉じられている状態を示すものである。
【００１８】
図１に示すように、本実施形態の扇風機１は、操作パネル２ａが設けられた基台２と、この基台２に立設された伸縮自在な支柱３を備えている。この支柱３の頂部には、固定、かつ首振り可能なファンモータ６が配設されている。ファンモータ６は、ファン５を回転させるモータを内蔵しており、また、首振自在となるように、後述するファンモータ支持具７を介して、支柱３に取り付けられている。なお、操作パネル２ａに、蓄光塗料を塗布し、暗闇で光らせるようにしてもよい。
【００１９】
ファンモータ６のモータハウジングには、ファンガード４が取付けられている。そして、このファンガード４の内部に、前記ファンモータ６で回転させるファン５が収容されると共に、このファンガード４の前部、かつ径方向の中心位置に、時刻表示機能付のユニット（時計ユニット）１０が取付けられている。なお、ファンガード４は、前記モータハウジングに取付けられる後面ガードと、この後面ガードに取付けられる前面ガードとからなり、周知の構成からなるものである。
【００２０】
図２は、本発明の一実施の形態に係る扇風機の正面図であり、ユニットのカバー部が開かれている状態を示すものである。図２において、図１と対応する部分には同一の符号を付してその説明を省略する。
【００２１】
図２に示すように、本実施形態の扇風機１では、時計ユニット１０のカバー部１３が開放されており、時計ユニット１０の本体部１１に設けられたミラー１２が視認できる状態になっている。カバー１３は、ミラー１２に対して略９０度の角度を保つようにして開放されている。
【００２２】
図３は、本発明の一実施の形態に係る扇風機の側面図であり、ファンモータ近傍を拡大したものである。
【００２３】
図３に示すように、支柱３の頂部には、ファンモータ支持具７が配設されており、ファンモータ支持具７には、ファンモータ６が接続されている。ファンモータ６には、マイナスイオン発生装置９が内蔵されており、マイナスイオン発生装置９で発生したマイナスイオンは、モータハウジングに設けられたマイナスイオン吐出口８を通じて、ファン５へ供給される。マイナスイオン突出口８は、ファン５の方向に突出するように形成されている。なお、マイナスイオン発生装置９は、周知の構成からなるものである。また、マイナスイオンを発生させる場合には、ランプ等を設けて、その発光によりマイナスイオンが発生していることを知らせるようにしてもよい。さらに、ファンガード４の一部にケースを設け、アロマオイル等を注入することにより、使用者の使用感を向上させるようにしてもよい。
【００２４】
図４は、本発明の一実施の形態で用いる時計ユニットの正面図であり、カバー部が閉じられている状態を示すものである。
【００２５】
図４に示すように、本実施形態の時計ユニット１０は、前記ファンガード４の前部、かつ径方向の中心位置に着脱自在に装着される円板状の本体部１１と、同じく円板状のカバー部１３とを備えている。本実施形態では、カバー部１３の直径が、本体部１１の直径よりもやや小さくなるように成形されている。また、時計ユニット１０は、ヒンジ１４により、カバー部１３が本体部１１に対して開閉可能となるように構成されている。
【００２６】
また、カバー部１３の正面中央には、円形窓部からなる時刻表示機能部１５が設けられている。時刻表示機能部１５は、デジタル表示により表示される時計表示機能の他に、日時表示機能と、温度表示機能とを備えている。温度表示機能には、室温表示機能と体感温度表示機能とがある。また、時刻表示機能部１５の周囲には、複数の操作ボタン１６と、アラーム部１７及び温度感知部１８とが形成されている。操作ボタン１６を操作することにより、必要に応じてアラーム機能、ストップウオッチ機能、室温表示機能、体感温度表示機能等を設定することができる。これにより、所定時間が経過したことをアラーム機能で報知し、若しくはストップウオッチ機能で経過時間を表示することで、使用者に対して、より正確な乾燥時間を知らせることができる。また、温度感知部１８で検知した体感温度を表示することにより、扇風機で髪を乾かしている間にどれくらい体感温度が低下したか確認することができ、例えば、風呂上り直後の体が冷えすぎてしまうことを防止することができる。なお、本実施形態では、時計表示等をデジタル表示により行っているが、秒針を使用したアナログ表示で行うようにしてもよい。
【００２７】
図５は、本発明の一実施の形態で用いる時計ユニットの正面図であり、カバー部が開かれている状態を示すものである。
【００２８】
図５に示すように、カバー部１３の裏側中央には、電池交換用の電池蓋１３ｂが形成されている。カバー部１３の周端部であって、ヒンジ１４と対称となる位置には、本体部１１と係合するための係合突起１３ａが形成されている。本体部１１には、円形のミラー１２が配置されている。ミラー１２の直径は、カバー部１３の直径よりも小さくなるように形成されている。また、本体部１１のミラー１２の外周端部であって、ヒンジ１４と対称となる位置には、カバー部１３と係合するための係合穴１１ａが形成されている。
【００２９】
即ち、カバー部１３は、ユニット１０がファンガード４に取付けられたときに、前記本体部１１の下側となる位置に設けられたヒンジ１４を介して開閉されるように構成されている。そして、このカバー部１３のヒンジ取付け位置と１８０°位相が相違する位置に係合突起１３ａが設けられており、この係合突起１３ａが本体部１１の表面の上側となる位置に設けられている係合穴１１ａに係止されることにより閉状態で維持されるように構成されている。
【００３０】
カバー部１３が閉じられているときには、係合突起１３ａが設けられている付近の表面を押すと、このカバー部１３の係止状態が解除されるように構成されている。また、このカバー部１３が開けられているときには、係合突起１３ａを係合穴１１ａに係止させるだけで、このカバー部１３の閉状態が維持されるように構成されている。なお、係合穴１１ａ、係合突起１３ａの代わりに、マグネットを配設し、磁力によって、本体部１１とカバー部１３とを係合させるようにしてもよい。
【００３１】
図６は、本発明の一実施の形態で用いる時計ユニットの側面図であり、図７は、その時計ユニットを下側から見た図であり、図８は、時計ユニットの背面図である。
【００３２】
本実施形態の時計ユニットの本体部１１の裏面側の構成は、普通の扇風機のファンガードに装着されるセンターガードマークの裏面側の構成とほぼ同じ構成になっている。すなわち、図６乃至図８に示すように、本体部１１の裏面に、頂部において相対する方向に突出する係止爪を有する一対の着脱爪１１ｂが突設されている。この一対の着脱爪１１ｂは、前記ファンガード４の前部、かつ径方向の中心位置に設けられてなる爪係止穴（図示省略）に嵌着されることにより係止されるものである。また、この本体部１１の裏面の３個所に、前記ファンガード４の前部、かつ径方向の中心位置に設けられてなる穴（図示省略）に嵌挿される回り止め用突起１１ｃが突設されている。なお、時計ユニット１０をファンガードに装着する構成は、本実施形態の構成に限られるものではない。
【００３３】
本実施の形態の扇風機１では、カバー部１３は、前記本体部１１の下側となる位置に設けられたヒンジ１４を介しての上下回動により開閉されるように構成されている。このため、カバー部１３を開放してミラー１２を使用する場合に、使用者は開放されたカバー部１３に邪魔されることなく、上方からミラー１２を確認しながら整髪を行うことができる。
【００３４】
以下、本実施形態の扇風機１の作用について説明する。
本実施形態の扇風機１によれば、ファンガード４の前部、かつ径方向の中心位置に装着されてなる時計ユニット１０の本体部１１に設けられたミラー１２を見て、両手で頭髪をほぐしながらシャンプー後の頭髪をファン風により乾燥させることができる。また、ほぐされた乾燥後の頭髪の状況を確認しながら、例えば手櫛や櫛により能率良く整えることができる。
【００３５】
また、頭髪を乾燥させる際には、時計ユニット１０に表示される時刻表示機能部１５の時計機能により、乾燥時間を確認しながら、整髪作業を行うことができるので、必要以上に長い時間に亘って髪を乾燥させることがなくなり、髪がパサパサになってしまうことを防止することができる。
【００３６】
また、普段眼鏡等を使用している者が、裸眼の状態で髪を乾かすような場合であっても、時刻表示機能部１５によって、正確に乾燥時間を確認することができる。このため、必要以上に長い時間に亘って髪を乾燥させることがなくなり、髪がパサパサになってしまうことを防止することができる。
【００３７】
また、マイナスイオン発生装置により、マイナスイオンを発生させながらシャンプー後の髪を乾燥させると、静電気の発生の抑制効果と水分浸透効果とにより、翌朝スタイリングし易い髪になるという効果が得られる。
【００３８】
また、扇風機１を使用しない場合であっても、時刻表示機能部１５により時計として用いることができるので、室内のインテリアの一つとして使用することができる。
【００３９】
なお、時計ユニット１０には開閉自在なカバー部１３が取付けられているので、不使用時に何らかの原因によりこの扇風機１が倒れたとしても、ミラー１２の損傷トラブルを少なくすることができる。
【００４０】
なお、本発明の扇風機は、上述の各形態に限定されるものではなく、マイナスイオン発生装置を備えていない普通の扇風機に対して適用することができる。また、その他材料、構成等において本発明の構成を逸脱しない範囲において種々の変形、変更が可能であることはいうまでもない。
【図面の簡単な説明】
【００４１】
【図１】本発明の一実施の形態に係る扇風機の正面図であり、時計ユニットのカバー部が閉じられている状態を示すものである。
【図２】本発明の一実施の形態に係る扇風機の正面図であり、時計ユニットのカバー部が開かれている状態を示すものである。
【図３】本発明の一実施の形態に係る扇風機の側面図であり、ファンモータ近傍を拡大したものである。
【図４】本発明の一実施の形態に係るカバー部が閉じられた時計ユニットの正面図である。
【図５】本発明の一実施の形態に係るカバー部が開かれた時計ユニットの正面図である。
【図６】本発明の一実施の形態に係る時計ユニットの側面図である。
【図７】本発明の一実施の形態に係る時計ユニットを下側から見た図である。
【図８】本発明の一実施の形態に係る時計ユニットの背面図である。
【符号の説明】
【００４２】
１・・扇風機
２・・基台
２ａ・・操作パネル
３・・支柱
３ａ・・操作部
４・・ファンガード
５・・ファン
６・・ファンモータ
７・・ファンモータ支持具
８・・マイナスイオン吐出口
９・・マイナスイオン発生装置
１０・・時計ユニット
１１・・本体部、１１ａ・・係合穴，１１ｂ・・着脱爪，１１ｃ・・回り止め用突起
１２・・ミラー
１３・・カバー部、１３ａ・・係合突起、１３ｂ・・電池蓋
１４・・ヒンジ
１５・・時刻表示機能部
１６・・操作ボタン
１７・・アラーム部
１８・・温度感知部
【図１】
2008121579.tif 000003
【図２】
2008121579.tif 000004
【図３】
2008121579.tif 000005
【図４】
2008121579.tif 000006
【図５】
2008121579.tif 000007
【図６】
2008121579.tif 000008
【図７】
2008121579.tif 000009
【図８】
2008121579.tif 000010